Podtech/llm-jp-corpus-v4-ja_patent huggingface dataset:
【手続補正書】
【提出日】平成26年12月19日(2014.12.19)
【手続補正１】
【補正対象書類名】特許請求の範囲
【補正対象項目名】全文
【補正方法】変更
【補正の内容】
【特許請求の範囲】
【請求項１】
移動局装置が属していない他セルへ該移動局装置が与える干渉量の指標を取得する干渉量指標取得部と、
前記干渉量指標取得部が取得した干渉量の指標に応じて、前記移動局装置に対し、同一周波数を重複して使用する他の移動局装置の許容重複数を設定する許容重複数決定部と、
を備えることを特徴とする基地局装置。
【請求項２】
前記許容重複数決定部は、前記許容重複数として、前記移動局装置が使用する周波数帯域を前記他の移動局装置が重複して使用することを許容するか否かを示す値に設定することを特徴とする請求項１に記載の基地局装置。
【請求項３】
前記許容重複数決定部は、前記許容重複数として、前記移動局装置が使用する周波数帯域を重複して使用する前記他の移動局装置の数を自基地局装置が受信に使用するアンテナ数以上とすることを許容するか否かを示す値に設定することを特徴とする請求項１に記載の基地局装置。
【請求項４】
前記干渉量の指標は、自基地局装置と前記移動局装置との間のパスロスに関する情報であることを特徴とする請求項１から請求項３のいずれか一項に記載の基地局装置。
【請求項５】
前記移動局装置から送信される自基地局装置で送信電力レベルが既知のパスロス測定信号を受信する受信部を備え、
前記干渉量指標取得部は、前記パスロス測定信号に基づいて、前記移動局装置から自基地局装置への伝送における上りパスロスを前記パスロスに関する情報として算出する上りパスロス測定部を備えることを特徴とする請求項４に記載の基地局装置。
【請求項６】
前記移動局装置からパスロスに関する情報を受信する受信部を備え、
前記許容重複数決定部は、前記受信部が受信したパスロスに関する情報に応じて、前記移動局装置に対し、前記許容重複数を設定する請求項４に記載の基地局装置。
【請求項７】
前記パスロスに関する情報は、基地局装置から前記移動局装置への伝送における下りパスロスの値であることを特徴とする請求項６に記載の基地局装置。
【請求項８】
前記パスロスに関する情報は、前記移動局装置の許容重複数であることを特徴とする請求項６に記載の基地局装置。
【請求項９】
前記パスロスに関する情報は、前記移動局装置が使用可能な最大送信電力と所定の受信信号レベルを達成するために必要な送信電力との差を示す情報であることを特徴とする請求項６に記載の基地局装置。
【請求項１０】
前記許容重複数決定部は、前記移動局装置が他セルへ与える干渉量の指標に応じて、該移動局装置が伝送に使用する帯域のうち同一セル内の他の移動局装置と重複させても良い帯域の割合を設定することを特徴とする請求項１から請求項９のいずれか一項に記載の基地局装置。
【請求項１１】
前記許容重複数決定部が決定した許容重複数に基づいて、前記移動局装置が伝送に使用する周波数を決定するスケジューリング部を備えることを特徴とする請求項１から請求項１０のいずれか一項に記載の基地局装置。
【請求項１２】
基地局装置が実行する許容重複数決定方法であって、
移動局装置が属していない他セルへ該移動局装置が与える干渉量の指標を取得する干渉量指標取得手順と、
前記干渉量指標取得手順により取得された干渉量の指標に応じて、同一周波数の重複使用を許容する他の移動局装置の許容重複数を決定する許容重複数決定手順と、
を有することを特徴とする許容重複数決定方法。
【請求項１３】
基地局装置から受信した信号を用いて下りパスロスを測定する下りパスロス測定部と、前記下りパスロス測定部が測定した下りパスロスに基づいて、同一セル内で同一周波数の重複使用を許容する他の移動局装置の許容重複数を決定する許容重複数決定部と、
前記許容重複数決定部が決定した許容重複数を前記基地局装置へ通知する送信部と、
を備えることを特徴とする移動局装置。
【請求項１４】
移動局装置が実行する許容重複数通知方法であって、
基地局装置から受信した信号を用いて下りパスロスを測定する下りパスロス測定手順と、
前記下りパスロス測定手順により測定された下りパスロスに基づいて、同一セル内で同一周波数の重複使用を許容する他の移動局装置の許容重複数を決定する許容重複数決定手順と、
前記許容重複数決定手順により決定された許容重複数を前記基地局装置へ通知する送信手順と、
を有することを特徴とする許容重複数通知方法。
【手続補正書】
【提出日】平成26年12月24日(2014.12.24)
【手続補正１】
【補正対象書類名】特許請求の範囲
【補正対象項目名】全文
【補正方法】変更
【補正の内容】
【特許請求の範囲】
【請求項１】
画像を取得する画像取得部と、
前記取得された画像における一部の領域として選択された選択部の画像と前記取得された画像における前記選択部以外の領域である非選択部の画像との一方の視認性を他方に対して低下させるように、前記画像取得部による前記選択部の画像と前記非選択部の画像との取得を制御する制御部と、
前記制御部の制御によって前記画像取得部で取得された前記選択部の画像と前記非選択部の画像と合成して１つの合成画像を取得する合成部と、
を具備することを特徴とする画像合成装置。
【請求項２】
前記画像取得部は、前記選択部の被写体を撮像して前記選択部の画像を取得するとともに、前記非選択部の被写体を撮像して前記非選択部の画像を取得し、
前記制御部は、前記選択部の画像と前記非選択部の画像とのうち、視認性を低下させるほうの撮像における絞りの開口量を他方の撮像における絞りの開口量よりも大きくする又は視認性を低下させるほうの撮像における露光時間を他方の撮像における露光時間と異ならせるように、前記画像取得部を制御することを特徴とする請求項１に記載の画像合成装置。
【請求項３】
前記画像取得部は、入力された複数の画像に異なる画像処理を施して前記選択部の画像と前記非選択部の画像とを取得し、
前記制御部は、前記選択部の画像と前記非選択部の画像とのうち、視認性を低下させるほうの画像処理においてぼかし処理を施すように、前記画像取得部を制御することを特徴とする請求項１に記載の画像合成装置。
【請求項４】
入力された画像を前記選択部の領域と前記非選択部の領域とに分割する領域分割部をさらに具備することを特徴とする請求項１乃至３の何れか１項に記載の画像合成装置。
【請求項５】
前記領域分割部は、タッチ操作部によって選択された領域を前記選択部とするように前記分割を行うことを特徴とする請求項４に記載の画像合成装置。
【請求項６】
入力された画像における主要被写体の領域を検出する主要被写体検出部をさらに具備し、
前記領域分割部は、前記主要被写体検出部によって検出された前記主要被写体の領域を前記選択部とするように前記分割をすることを特徴とする請求項４に記載の画像合成装置。
【請求項７】
画像を取得することと、
前記取得された画像における一部の領域として選択された選択部の画像と前記取得された画像における前記選択部以外の領域である非選択部の画像との一方の視認性を他方に対して低下させるように、前記選択部の画像と前記非選択部の画像との取得を制御することと、
前記制御によって取得された前記選択部の画像と前記非選択部の画像と合成して１つの合成画像を取得することと、
を具備することを特徴とする画像合成方法。
【手続補正２】
【補正対象書類名】明細書
【補正対象項目名】発明の名称
【補正方法】変更
【補正の内容】
【発明の名称】画像合成装置及び画像合成方法
【手続補正３】
【補正対象書類名】明細書
【補正対象項目名】０００１
【補正方法】変更
【補正の内容】
【０００１】
本発明は、複数の画像を合成して１枚の合成画像を得る機能を有する画像合成装置及び画像合成方法に関する。
【手続補正４】
【補正対象書類名】明細書
【補正対象項目名】０００５
【補正方法】変更
【補正の内容】
【０００５】
本発明は、前記の事情に鑑みてなされたもので、ユーザが意図した被写体を鮮明な画像として残しつつ、プライバシーの保護にも配慮した画像を得ることができる画像合成装置及び画像合成方法を提供することを目的とする。
【手続補正５】
【補正対象書類名】明細書
【補正対象項目名】０００６
【補正方法】変更
【補正の内容】
【０００６】
前記の目的を達成するために、本発明の第１の態様の画像合成装置は、画像を取得する画像取得部と、前記取得された画像における一部の領域として選択された選択部の画像と前記取得された画像における前記選択部以外の領域である非選択部の画像との一方の視認性を他方に対して低下させるように、前記画像取得部による前記選択部の画像と前記非選択部の画像との取得を制御する制御部と、前記制御部の制御によって前記画像取得部で取得された前記選択部の画像と前記非選択部の画像と合成して１つの合成画像を取得する合成部とを具備することを特徴とする。
前記の目的を達成するために、本発明の第２の態様の画像合成方法は、画像を取得することと、前記取得された画像における一部の領域として選択された選択部の画像と前記取得された画像における前記選択部以外の領域である非選択部の画像との一方の視認性を他方に対して低下させるように、前記選択部の画像と前記非選択部の画像との取得を制御することと、前記制御によって取得された前記選択部の画像と前記非選択部の画像と合成して１つの合成画像を取得することとを具備することを特徴とする。
【手続補正６】
【補正対象書類名】明細書
【補正対象項目名】０００７
【補正方法】変更
【補正の内容】
【０００７】
本発明によれば、ユーザが意図した被写体を鮮明な画像として残しつつ、プライバシーの保護にも配慮した画像を得ることができる画像合成装置及び画像合成方法を提供することができる。
【手続補正書】
【提出日】平成26年12月11日(2014.12.11)
【手続補正１】
【補正対象書類名】特許請求の範囲
【補正対象項目名】全文
【補正方法】変更
【補正の内容】
【特許請求の範囲】
【請求項１】
一連の処理を実行するためのユーザの操作に従い、前記一連の処理を定義する定義ファイルに含まれる設定項目とその値に基づき、前記一連の処理を実行する画像処理装置であって、
ユーザごとの固有の設定を含む固有の定義ファイルと、ユーザごとの固有の設定を含まない共通の定義ファイルとを含む複数の定義ファイルを受信する受信手段と、
前記受信した複数の定義ファイルの中で、同じ設定項目を含む固有の定義ファイルと共通の定義ファイルについて、それぞれで設定値が異なる設定項目を特定する特定手段と、
前記特定された設定項目を示す情報と、前記共通の定義ファイルとを用いてテンプレートファイルを生成する生成手段と、
前記生成されたテンプレートファイルを記憶部に記憶する制御を行う制御手段と、
前記テンプレートファイルを用いて新たに定義ファイルが生成される際には、ユーザに対して、前記特定された設定項目の設定値を受け付けるユーザインターフェースを提供する提供手段と
を有することを特徴とする画像処理装置。
【請求項２】
前記生成手段で前記テンプレートファイルが生成された場合に、前記テンプレートファイルが生成された旨を予め指定された通知先に通知する通知手段を更に有することを特徴とする請求項１記載の画像処理装置。
【請求項３】
前記テンプレートファイルを利用可能にする入力を受け付けるユーザインターフェースを表示部に表示する表示手段を更に有し、
前記提供手段は、前記テンプレートファイルを用いて新たに定義ファイルが生成される際に、前記入力を受け付けている場合には、ユーザに対して、前記特定された設定項目の設定値を受け付けるユーザインターフェースを提供することを特徴とする請求項１又は２記載の画像処理装置。
【請求項４】
前記共通の定義ファイルを削除する指示を受け付けた場合に、前記共通の定義ファイルを削除する削除手段を更に有することを特徴とする請求項１乃至３のうち何れか１項に記載の画像処理装置。
【請求項５】
前記提供手段は、固有の定義ファイルを編集する際に、前記固有の定義ファイルとテンプレートファイルとを関連付ける指示を受け付けていた場合には、前記テンプレートファイルに含まれる前記特定された設定項目を示す情報をもとに、前記設定項目の設定値を受け付けるユーザインターフェースを提供することを特徴とする請求項１乃至４のうち何れか１項に記載の画像処理装置。
【請求項６】
一連の処理を実行するためのユーザの操作に従い、前記一連の処理を定義する定義ファイルに含まれる設定項目とその値に基づき、前記一連の処理を実行する画像処理装置の制御方法であって、
ユーザごとの固有の設定を含む固有の定義ファイルと、ユーザごとの固有の設定を含まない共通の定義ファイルとを含む複数の定義ファイルを受信する受信工程と、
前記受信した複数の定義ファイルの中で、同じ設定項目を含む固有の定義ファイルと共通の定義ファイルについて、それぞれで設定値が異なる設定項目を特定する特定工程と、
前記特定された設定項目を示す情報と、前記共通の定義ファイルとを用いてテンプレートファイルを生成する生成工程と、
前記生成されたテンプレートファイルを記憶部に記憶する制御を行う制御工程と、
前記テンプレートファイルを用いて新たに定義ファイルが生成される際には、ユーザに対して、前記特定された設定項目の設定値を受け付けるユーザインターフェースを提供する提供工程と
を含むことを特徴とする画像処理装置の制御方法。
【請求項７】
一連の処理を実行するためのユーザの操作に従い、前記一連の処理を定義する定義ファイルに含まれる設定項目とその値に基づき、前記一連の処理を実行するコンピュータを、
ユーザごとの固有の設定を含む固有の定義ファイルと、ユーザごとの固有の設定を含まない共通の定義ファイルとを含む複数の定義ファイルを受信する受信手段と、
前記受信した複数の定義ファイルの中で、同じ設定項目を含む固有の定義ファイルと共通の定義ファイルについて、それぞれで設定値が異なる設定項目を特定する特定手段と、
前記特定された設定項目を示す情報と、前記共通の定義ファイルとを用いてテンプレートファイルを生成する生成手段と、
前記生成されたテンプレートファイルを記憶部に記憶する制御を行う制御手段と、
前記テンプレートファイルを用いて新たに定義ファイルが生成される際には、ユーザに対して、前記特定された設定項目の設定値を受け付けるユーザインターフェースを提供する提供手段として
機能させるためのプログラム。
【手続補正２】
【補正対象書類名】明細書
【補正対象項目名】発明の名称
【補正方法】変更
【補正の内容】
【発明の名称】画像処理装置、制御方法、及びプログラム
【手続補正３】
【補正対象書類名】明細書
【補正対象項目名】０００１
【補正方法】変更
【補正の内容】
【０００１】
本発明は、画像処理装置、制御方法、及びプログラムに関する。
【手続補正４】
【補正対象書類名】明細書
【補正対象項目名】００１２
【補正方法】変更
【補正の内容】
【００１２】
そこで、本発明に係る画像処理装置は、一連の処理を実行するためのユーザの操作に従い、前記一連の処理を定義する定義ファイルに含まれる設定項目とその値に基づき、前記一連の処理を実行する画像処理装置であって、ユーザごとの固有の設定を含む固有の定義ファイルと、ユーザごとの固有の設定を含まない共通の定義ファイルとを含む複数の定義ファイルを受信する受信手段と、前記受信した複数の定義ファイルの中で、同じ設定項目を含む固有の定義ファイルと共通の定義ファイルについて、それぞれで設定値が異なる設定項目を特定する特定手段と、前記特定された設定項目を示す情報と、前記共通の定義ファイルとを用いてテンプレートファイルを生成する生成手段と、前記生成されたテンプレートファイルを記憶部に記憶する制御を行う制御手段と、前記テンプレートファイルを用いて新たに定義ファイルが生成される際には、ユーザに対して、前記特定された設定項目の設定値を受け付けるユーザインターフェースを提供する提供手段とを有することを特徴とする。
【手続補正５】
【補正対象書類名】明細書
【補正対象項目名】００１３
【補正方法】変更
【補正の内容】
【００１３】
また、本発明は、制御方法、プログラムなどとしてもよい。
【手続補正書】
【提出日】平成26年12月26日(2014.12.26)
【手続補正１】
【補正対象書類名】特許請求の範囲
【補正対象項目名】全文
【補正方法】変更
【補正の内容】
【特許請求の範囲】
【請求項１】
基板に描画すべき回路パターンを表すパターンデータと、前記基板に描画すべきマークを表すマークデータとから生成された描画データに基づいて荷電粒子線で基板に描画を行う描画装置であって、
前記基板に対する前記荷電粒子線の位置決め精度に関連する情報を取得する取得部と、
前記取得部で取得された情報に基づいて、前記基板における前記マークの描画領域を決定する決定部と、
前記決定部で決定された描画領域に前記マークが描画されるように、前記パターンデータと前記マークデータとに基づいて前記描画データを生成する生成部と、
を有することを特徴とする描画装置。
【請求項２】
前記マークを描画可能な前記基板における領域を表す領域情報を保持する保持部を更に有し、
前記決定部は、前記保持部に保持された領域情報が表す領域の中から前記マークの描画領域を決定する、ことを特徴とする請求項１に記載の描画装置。
【請求項３】
前記取得部は、前記位置決め精度に関連する情報として、前記基板の平面度を表す平面度情報を取得し、
前記決定部は、前記平面度情報に基づいて、前記平面度が許容範囲内にある領域から前記マークの描画領域を決定する、ことを特徴とする請求項１又は２に記載の描画装置。
【請求項４】
前記決定部は、前記平面度が許容範囲内にある領域に前記マークが描画されるように、前記マークの形状及び寸法を決定する、ことを特徴とする請求項３に記載の描画装置。
【請求項５】
前記取得部は、前記位置決め精度に関連する情報として、前記描画装置のキャリブレーションの実行時刻を表す時刻情報を取得し、
前記決定部は、前記時刻情報に基づいて、前記キャリブレーションの実行時刻後の予め定められた期間内に前記マークが描画されるように、前記マークの描画領域を決定する、ことを特徴とする請求項１又は２に記載の描画装置。
【請求項６】
前記取得部は、前記位置決め精度に関連する情報として、前記描画装置の環境を表す環境情報を取得し、
前記決定部は、前記環境情報に基づいて、前記環境が許容範囲内にあるタイミングで前記マークが描画されるように、前記マークの描画領域を決定する、ことを特徴とする請求項１又は２に記載の描画装置。
【請求項７】
前記取得部は、前記位置決め精度に関連する情報として、前記回路パターンを構成するパターン要素の密度を表す密度情報を取得し、
前記決定部は、前記密度情報に基づいて、前記密度が予め定められた値以上となるパターン要素群の描画と並行して前記マークが描画されるように、前記マークの描画領域を決定する、ことを特徴とする請求項１又は２に記載の描画装置。
【請求項８】
前記パターンデータから前記回路パターンを構成するパターン要素を選択する選択部を更に有し、
前記決定部は、前記選択部で選択されたパターン要素の描画と並行して前記マークが描画されるように、前記マークの描画領域を決定する、ことを特徴とする請求項１又は２に記載の描画装置。
【請求項９】
前記基板の上に形成された層のそれぞれについて、マークの描画領域を表すマーク領域情報を記憶する記憶部を更に有し、
前記決定部は、前記マーク領域情報に基づいて、既に形成されたマークの描画領域と重ならないように、新たなマークの描画領域を決定する、ことを特徴とする請求項１又は２に記載の描画装置。
【請求項１０】
前記パターンデータと前記マークデータとをそれぞれ別のデータとして記憶する記憶部を更に有する、ことを特徴とする請求項１乃至９のうちいずれか１項に記載の描画装置。
【請求項１１】
前記マークは、アライメントマークおよび検査マークの少なくとも一方を含む、ことを特徴とする請求項１乃至１０のうちいずれか１項に記載の描画装置。
【請求項１２】
請求項１乃至１１のうちいずれか１項に記載の描画装置を用いて基板に描画を行う工程と、
前記工程で描画を行われた前記基板を現像する工程と、
を有することを特徴とする物品の製造方法。
【手続補正２】
【補正対象書類名】明細書
【補正対象項目名】０００９
【補正方法】変更
【補正の内容】
【０００９】
上記目的を達成するために、本発明の一側面としての描画装置は、基板に描画すべき回路パターンを表すパターンデータと、前記基板に描画すべきマークを表すマークデータとから生成された描画データに基づいて荷電粒子線で基板に描画を行う描画装置であって、前記基板に対する前記荷電粒子線の位置決め精度に関連する情報を取得する取得部と、前記取得部で取得された情報に基づいて、前記基板における前記マークの描画領域を決定する決定部と、前記決定部で決定された描画領域に前記マークが描画されるように、前記パターンデータと前記マークデータとに基づいて前記描画データを生成する生成部と、を有することを特徴とする。
【手続補正書】
【提出日】平成26年11月14日(2014.11.14)
【手続補正１】
【補正対象書類名】特許請求の範囲
【補正対象項目名】全文
【補正方法】変更
【補正の内容】
【特許請求の範囲】
【請求項１】
複数の絶縁体層と、前記複数の絶縁体層を積層することによって設けられた積層体と、前記積層体の外部に形成された第１〜第４の外部電極と、前記積層体の内部に形成された第１、第２の渦巻状導体、第１〜第４の引出導体と、前記第１の渦巻状導体の両端部と第１、第２の引出導体とをそれぞれ第１、第２のビア電極を介して接続して形成された第１のコイルと、前記第２の渦巻状導体の両端部と第３、第４の引出導体とをそれぞれ第３、第４のビア電極を介して接続して形成された第２のコイルとを備え、前記第１の渦巻状導体と前記第２の渦巻状導体とを磁気結合させ、前記第１〜第４の外部電極をそれぞれ前記第１〜第４の引出導体と接続し、かつ前記第１、第２の渦巻状導体と前記第１〜第４の引出導体とは異なる絶縁体層に形成するとともに、前記第１、第２の渦巻状導体の厚みより前記第１〜第４の引出導体の厚みを厚くしたコモンモードノイズフィルタ。
【請求項２】
前記第１、第２の渦巻状導体、前記第１〜第４の引出導体が上面または下面に形成された前記絶縁体層は、ガラスセラミックで構成された請求項１記載のコモンモードノイズフィルタ。
【手続補正書】
【提出日】平成26年12月18日(2014.12.18)
【手続補正１】
【補正対象書類名】特許請求の範囲
【補正対象項目名】全文
【補正方法】変更
【補正の内容】
【特許請求の範囲】
【請求項１】
磁性材料と樹脂とを含むボンド磁石組成物を円筒状の成形空間に充填する工程と、その成形空間内側に配置された配向用磁石により、前記磁性材料を磁気的に配向させるとともに、溶融されたボンド磁石組成物を前記配向用磁石の軸方向に押し出して成形する工程とを有する円筒状ボンド磁石の製造方法であって、
前記配向用磁石は、周方向に交互に配置されたＮ極およびＳ極を有する第一の永久磁石と、周方向に交互に配置されたＮ極およびＳ極を有し、前記軸方向に前記第一の永久磁石と隣接して配置された第二の永久磁石と、を有しており、
前記第一および第二の永久磁石は、前記軸方向において同極同士が向かい合うように配置されていることを特徴とする円筒状ボンド磁石の製造方法。
【請求項２】
前記第一の磁石と前記第二の磁石の間に、外周に向かう径方向にＮ極とＳ極が交互に現れるように構成された第三の永久磁石を配置することにより、前記配向用磁石を構成する請求項１に記載の円筒状ボンド磁石の製造方法。
【請求項３】
前記第一及び第二の永久磁石の磁化方向は、軸方向に対して、０度以上９０度未満の角度で外周方向に傾斜されている請求項１または２に記載の円筒状ボンド磁石の製造方法。
【請求項４】
前記磁性材料が、Ｓｍ−Ｆｅ−Ｎ系の磁性材料である請求項１から３のいずれか一項に記載の円筒状ボンド磁石の製造方法。
【請求項５】
磁性材料と樹脂とを含むボンド磁石組成物が充填される円筒状の成形空間と、その成形空間内側に配置され、前記磁性材料を磁気的に配向させるための配向用磁石とを備え、溶融されたボンド磁石組成物を前記配向用磁石の軸方向に押し出して成形する円筒状ボンド磁石の製造装置であって、
前記配向用磁石は、周方向にＮ極とＳ極が交互に現れるように構成された第一の永久磁石と、その第一の永久磁石の軸方向に隣接して配置され、第一の永久磁石のＮ極およびＳ極に同極同士向かい合うＮ極およびＳ極が交互に現れるように構成された第二の永久磁石と、から構成されていることを特徴とする円筒状ボンド磁石の製造装置。
【請求項６】
前記第一の磁石と前記第二の磁石の間に、外周に向かう径方向にＮ極とＳ極が交互に現れるように構成された第三の永久磁石が配置されている請求項５に記載の円筒状ボンド磁石の製造装置。
【請求項７】
前記第一及び第二の永久磁石の磁化方向は、軸方向に対して、０度以上９０度未満の角度で外周方向に傾斜されている請求項５または６に記載の円筒状ボンド磁石の製造装置。
【請求項８】
前記磁性材料が、Ｓｍ−Ｆｅ−Ｎ系の磁性材料である請求項５から７のいずれか一項に記載の円筒状ボンド磁石の製造装置。
【手続補正書】
【提出日】平成26年12月22日(2014.12.22)
【手続補正１】
【補正対象書類名】特許請求の範囲
【補正対象項目名】全文
【補正方法】変更
【補正の内容】
【特許請求の範囲】
【請求項１】
撮像手段を有する撮像装置であって、
前記撮像手段で撮像して得た画像中に含まれる所定の被写体像を検出する検出手段と、
前記検出手段で検出された被写体像が示す被写体を、主要被写体、および、当該主要被写体以外の非主要被写体に分類する分類手段と、
被写体を特定するための特徴情報、及び、被写体を表わす名称情報を記憶する記憶手段と、
前記撮像手段で得られた画像中の被写体の中で、前記記憶手段に記憶された特徴情報を有する被写体について、対応する名称情報を表示する表示制御手段とを有し、
前記表示制御手段は、
前記分類手段で分類された前記主要被写体を、前記記憶手段に記憶された特徴情報に従って特定できた場合に、対応する名称情報を表示し、
前記分類手段で分類された非主要被写体については、当該非主要被写体及び前記主要被写体の両方が前記記憶手段に記憶された特徴情報で特定できたことを条件に、該当する名称情報を表示する
ことを特徴とする撮像装置。
【請求項２】
前記検出手段が検出する前記被写体像は人物の顔画像であって、
前記分類手段は、顔画像のサイズ及び顔画像の位置の少なくともいずれかに基づいて、顔画像が示す被写体を前記主要被写体と前記非主要被写体に分類することを特徴とする請求項１に記載の撮像装置。
【請求項３】
前記表示制御手段は、前記主要被写体と前記非主要被写体の名称情報を構成する文字列の下地を、異なる色で表示することを特徴とする請求項１又は２に記載の撮像装置。
【請求項４】
前記表示制御手段は、前記主要被写体が示す画像を囲む枠を第１の色で表示し、前記非主要被写体が示す画像を囲む枠を前記第１の色とは異なる第２の色で表示することを特徴とする請求項１乃至３のいずれか１項に記載の撮像装置。
【請求項５】
撮像手段と、被写体を特定するための特徴情報、及び、被写体を表わす名称情報を記憶する記憶手段とを有する撮像装置の制御方法であって、
検出手段が、前記撮像手段で撮像して得た画像中に含まれる所定の被写体像を検出する検出工程と、
分類手段が、前記検出工程で検出された被写体像が示す被写体を、主要被写体、および、当該主要被写体以外の非主要被写体に分類する分類工程と、
表示制御手段が、前記撮像手段で得られた画像中の被写体の中で、前記記憶手段に記憶された特徴情報を有する被写体について、対応する名称情報を表示する表示制御工程とを有し、
前記表示制御工程では、
前記分類工程で分類された前記主要被写体を、前記記憶手段に記憶された特徴情報に従って特定できた場合に、対応する名称情報を表示し、
前記分類工程で分類された非主要被写体については、当該非主要被写体及び前記主要被写体の両方が前記記憶手段に記憶された特徴情報で特定できたことを条件に、該当する名称情報を表示する
ことを特徴とする撮像装置の制御方法。
【請求項６】
撮像手段と、被写体を特定するための特徴情報、及び、被写体を表わす名称情報を記憶する記憶手段とを有するコンピュータに読み込ませ実行させることで、前記コンピュータを撮像装置として機能させるためのプログラムであって、
前記コンピュータを、
前記撮像手段で撮像して得た画像中に含まれる所定の被写体像を検出する検出手段、
前記検出手段で検出された被写体像が示す被写体を、主要被写体、および、当該主要被写体以外の非主要被写体に分類する分類手段、および、
前記撮像手段で得られた画像中の被写体の中で、前記記憶手段に記憶された特徴情報を有する被写体について、対応する名称情報を表示する表示制御手段として機能させ、
前記表示制御手段は、
前記分類手段で分類された前記主要被写体を、前記記憶手段に記憶された特徴情報に従って特定できた場合に、対応する名称情報を表示させ、
前記分類手段で分類された非主要被写体については、当該非主要被写体及び前記主要被写体の両方が前記記憶手段に記憶された特徴情報で特定できたことを条件に、該当する名称情報を表示させる
ためのプログラム。
【請求項７】
請求項６に記載のプログラムを格納したことを特徴とするコンピュータが読み取り可能な記憶媒体。
【手続補正２】
【補正対象書類名】明細書
【補正対象項目名】０００６
【補正方法】変更
【補正の内容】
【０００６】
この課題を解決するため、例えば本発明の撮像装置は以下の構成を備える。すなわち、
撮像手段を有する撮像装置であって、
前記撮像手段で撮像して得た画像中に含まれる所定の被写体像を検出する検出手段と、
前記検出手段で検出された被写体像が示す被写体を、主要被写体、および、当該主要被写体以外の非主要被写体に分類する分類手段と、
被写体を特定するための特徴情報、及び、被写体を表わす名称情報を記憶する記憶手段と、
前記撮像手段で得られた画像中の被写体の中で、前記記憶手段に記憶された特徴情報を有する被写体について、対応する名称情報を表示する表示制御手段とを有し、
前記表示制御手段は、
前記分類手段で分類された前記主要被写体を、前記記憶手段に記憶された特徴情報に従って特定できた場合に、対応する名称情報を表示し、
前記分類手段で分類された非主要被写体については、当該非主要被写体及び前記主要被写体の両方が前記記憶手段に記憶された特徴情報で特定できたことを条件に、該当する名称情報を表示することを特徴とする。
【手続補正書】
【提出日】平成26年12月25日(2014.12.25)
【手続補正１】
【補正対象書類名】特許請求の範囲
【補正対象項目名】全文
【補正方法】変更
【補正の内容】
【特許請求の範囲】
【請求項１】
複数の像ブレ補正モードを有する撮像装置であって、
光学系によって結像された被写体像を撮像する撮像手段と、
前記撮像装置の振れを検出する振れ検出手段と、
前記振れ検出手段の出力に応じて前記複数の像ブレ補正モードからひとつを選択して実行する補正手段と、
前記複数の像ブレ補正モードのそれぞれに対応付けられた複数の表示アイテムを表示する表示手段と、
時系列的に連続する複数の画像間における動きベクトルを検出する動きベクトル検出手段と、
前記動きベクトルを積算して撮像装置の空間的な位置変化によって生じる画面移動量を算出する算出手段と、
前記補正手段により実行されている像ブレ補正モードと前記画面移動量に応じて、前記複数の表示アイテムからひとつの表示アイテムを選択して前記表示手段に表示させる制御手段と、
を備えることを特徴とする撮像装置。
【請求項２】
前記補正手段は、撮像画像の切り出し位置を変えることにより撮像画像の像ブレを補正する切り出し位置変更手段を含み、前記制御手段は、前記画面移動量から前記切り出し位置変更手段によって設定される切り出し位置を差し引いた画面移動量に応じて、前記複数の表示アイテムからひとつの表示アイテムを選択して前記表示手段に表示させることを特徴とする請求項１に記載の撮像装置。
【請求項３】
前記複数の像ブレ補正モードは、撮像装置を意図的に動かさずに定点を撮影する状況を示す定点撮影モードを含み、前記制御手段は、前記補正手段が前記定点撮影モードを実行しているときは定点撮影モードに対応した表示アイテムを前記表示手段に表示させ、前記画面移動量が所定の閾値より大きいときは前記定点撮影モードに対応した表示アイテムの表示を解除することを特徴とする請求項１または請求項２に記載の撮像装置。
【請求項４】
前記算出手段は、定点撮影モードに切り替わったときの画像を画面移動の起点として前記画面移動量を算出することを特徴とする請求項３に記載の撮像装置。
【請求項５】
光学系によって結像された被写体像を撮像する撮像手段を有し、複数の像ブレ補正モードを有する撮像装置を制御する方法であって、
撮影の状況に応じて前記複数の像ブレ補正モードからひとつを選択して実行する補正工程と、
前記複数の像ブレ補正モードのそれぞれに対応付けられた複数の表示アイテムを表示手段に表示する表示工程と、
時系列的に連続する複数の画像間における動きベクトルを検出する検出工程と、
前記動きベクトルを積算して撮像装置の空間的な位置変化によって生じる画面移動量を算出する算出工程と、
前記補正工程において実行されている像ブレ補正モードと前記算出工程において算出される画面移動量に応じて、前記複数の表示アイテムからひとつの表示アイテムを選択して前記表示手段に表示させる制御工程と、
を備えることを特徴とする撮像装置の制御方法。
【請求項６】
複数の像ブレ補正モードを有する撮像装置であって、
前記撮像装置の振れを検出する検出手段と、
前記検出手段の出力に応じて前記複数の像ブレ補正モードからひとつを選択して実行する補正手段と、
前記複数の像ブレ補正モードのそれぞれに対応付けられた複数の表示アイテムを表示装置に表示する表示制御手段と、
時系列的に連続する複数の画像間における動きベクトルを検出して画面移動量を算出する算出手段とを有し、
前記表示制御手段は、実行する像ブレ補正モードが、第１の像ブレ補正モードから第２の像ブレ補正モードに変化した場合に、前記算出手段による前記画面移動量の大きさに応じて、前記第１の像ブレ補正モードに対応した表示アイテムを表示するのか、前記第２の像ブレ補正モードに対応した表示アイテムを表示するのかを制御することを特徴とする撮像装置。
【請求項７】
前記補正手段は、撮像画像の切り出し位置を変えることにより撮像画像の像ブレを補正する切り出し位置変更手段を含み、前記制御手段は、前記画面移動量から前記切り出し位置変更手段によって設定される切り出し位置のずらし量を差し引いた画面移動量に応じて、前記複数の表示アイテムからひとつの表示アイテムを選択して前記表示手段に表示させることを特徴とする請求項６に記載の撮像装置。
【請求項８】
前記複数の像ブレ補正モードは、撮像装置を意図的に動かさずに定点を撮影する状況を示す定点撮影モードを含み、前記制御手段は、前記補正手段が前記定点撮影モードを実行しているときは定点撮影モードに対応した表示アイテムを前記表示手段に表示させ、前記画面移動量が所定の閾値より大きいときは前記定点撮影モードに対応した表示アイテムの表示を解除することを特徴とする請求項６または請求項７に記載の撮像装置。
【請求項９】
前記算出手段は、定点撮影モードに切り替わったときの画像を画面移動の起点として前記画面移動量を算出することを特徴とする請求項８に記載の撮像装置。
【請求項１０】
複数の像ブレ補正モードを有する撮像装置の制御方法であって、
前記撮像装置の振れを検出する検出工程と、
前記検出工程の出力に応じて前記複数の像ブレ補正モードからひとつを選択して実行する補正工程と、
前記複数の像ブレ補正モードのそれぞれに対応付けられた複数の表示アイテムを表示装置に表示する表示制御工程と、
時系列的に連続する複数の画像間における動きベクトルを検出して画面移動量を算出する算出工程とを有し、
前記表示制御工程は、実行する像ブレ補正モードが、第１の像ブレ補正モードから第２の像ブレ補正モードに変化した場合に、前記算出工程による前記画面移動量の大きさに応じて、前記第１の像ブレ補正モードに対応した表示アイテムを表示するのか、前記第２の像ブレ補正モードに対応した表示アイテムを表示するのかを制御することを特徴とする撮像装置の制御方法。
【手続補正書】
【提出日】平成26年12月3日(2014.12.3)
【手続補正１】
【補正対象書類名】明細書
【補正対象項目名】０００８
【補正方法】変更
【補正の内容】
【０００８】
上記目的を達成するために、本発明の撮像装置は、光学系によって結像された被写体像を撮像する撮像手段と、装置の振れを検出する振れ検出手段と、前記撮像手段によって撮像された画像から動きベクトルを検出するベクトル検出手段と、前記振れによる像振れを光学的に補正する第１の補正手段と、前記振れによる像の揺れを画像の切り出し範囲を変更することによって補正する第２の補正手段と、前記振れに基づいて、前記第１の補正手段を制御するための第１の振れ補正量を演算する第１の演算手段と、前記動きベクトルに基づいて、前記第２の補正手段を制御するための第２の振れ補正量を演算する第２の演算手段と、前記振れに基づいて算出された振れ量が、予め決められた第１の閾値より大きい場合に、前記第１の振れ補正量を抑制するように前記第１の演算手段を制御するとともに前記第２の振れ補正量を抑制するように前記第２の演算手段を制御する制御手段と、を有する。
【手続補正２】
【補正対象書類名】特許請求の範囲
【補正対象項目名】全文
【補正方法】変更
【補正の内容】
【特許請求の範囲】
【請求項１】
光学系によって結像された被写体像を撮像する撮像手段と、
装置の振れを検出する振れ検出手段と、
前記撮像手段によって撮像された画像から動きベクトルを検出するベクトル検出手段と、
前記振れによる像振れを光学的に補正する第１の補正手段と、
前記振れによる像の揺れを画像の切り出し範囲を変更することによって補正する第２の補正手段と、
前記振れに基づいて、前記第１の補正手段を制御するための第１の振れ補正量を演算する第１の演算手段と、
前記動きベクトルに基づいて、前記第２の補正手段を制御するための第２の振れ補正量を演算する第２の演算手段と、
前記振れに基づいて算出された振れ量が、予め決められた第１の閾値より大きい場合に、前記第１の振れ補正量を抑制するように前記第１の演算手段を制御するとともに前記第２の振れ補正量を抑制するように前記第２の演算手段を制御する制御手段と、
を有することを特徴とする撮像装置。
【請求項２】
前記制御手段は、前記動きベクトルに基づいて算出された動き量が、予め決められた第２の閾値より大きい場合に、前記振れ量が前記第１の閾値より大きいか否かに関わらず、前記第２の振れ補正量を抑制するように前記第２の演算手段を制御することを特徴とする請求項１に記載の撮像装置。
【請求項３】
前記第１の演算手段は第１のハイパスフィルタを含み、前記振れ量が、前記第１の閾値より大きい場合に、前記制御手段は、前記第１のハイパスフィルタのカットオフ周波数を、予め決められた第１の最小カットオフ周波数よりも大きい周波数に変更することを特徴とする請求項１または２に記載の撮像装置。
【請求項４】
前記第１の演算手段は第１の積分器を含み、前記振れ量が、前記第１の閾値より大きい場合に、前記制御手段は、前記第１の積分器の時定数を、予め決められた第１の最大時定数よりも小さい時定数に変更することを特徴とする請求項１乃至３のいずれか１項に記載の撮像装置。
【請求項５】
前記第２の演算手段は第２のハイパスフィルタを含み、前記振れ量が、前記第１の閾値より大きい場合に、前記制御手段は、前記第２のハイパスフィルタのカットオフ周波数を、予め決められた第２の最小カットオフ周波数よりも大きい周波数に変更することを特徴とする請求項１乃至４のいずれか１項に記載の撮像装置。
【請求項６】
前記第２の演算手段は増幅器を含み、前記振れ量が、前記第１の閾値より大きい場合に、前記制御手段は、前記増幅器のゲインを、０以上１未満の値に設定することを特徴とする請求項１乃至４のいずれか１項に記載の撮像装置。
【請求項７】
前記第２の演算手段は第２の積分器を含み、前記振れ量が、前記第１の閾値より大きい場合に、前記制御手段は、前記第２の積分器の時定数を、予め決められた第２の最大時定数よりも小さい時定数に変更することを特徴とする請求項１乃至６のいずれか１項に記載の撮像装置。
【請求項８】
光学系によって結像された被写体像を撮像する撮像手段を有する撮像装置の制御方法であって、
振れ検出手段が、前記撮像装置の振れを検出する振れ検出工程と、
ベクトル検出手段が、前記撮像手段によって撮像された画像から動きベクトルを検出するベクトル検出工程と、
前記振れによる像振れを光学的に補正する第１の補正工程と、
前記振れによる像の揺れを画像の切り出し範囲を変更することによって補正する第２の補正工程と、
第１の演算手段が、前記振れ検出工程で検出された振れに基づいて、前記第１の補正手段を制御するための第１の振れ補正量を求める第１の演算工程と、
第２の演算手段が、前記ベクトル検出工程で検出された動きベクトルに基づいて、前記第２の補正手段を制御するための第２の振れ補正量を求める第２の演算工程と、
制御手段が、前記振れに基づいて算出された振れ量が、予め決められた第１の閾値より大きい場合に、前記第１の振れ補正量を抑制するように前記第１の演算手段を制御するとともに、前記第２の振れ補正量を抑制するように前記第２の演算手段を制御する制御工程と、
を有することを特徴とする撮像装置の制御方法。
【請求項９】
前記制御工程では、前記動きベクトルに基づいて算出された動き量が、予め決められた第２の閾値より大きい場合に、前記振れ量が前記第１の閾値より大きいか否かに関わらず、前記第２の振れ補正量を抑制するように前記第２の演算工程を制御することを特徴とする請求項１に記載の撮像装置の制御方法。
【手続補正書】
【提出日】平成26年12月3日(2014.12.3)
【手続補正１】
【補正対象書類名】明細書
【補正対象項目名】０００７
【補正方法】変更
【補正の内容】
【０００７】
上記目的を達成するために、本発明の撮像装置は、光学系によって結像された被写体像を撮像する撮像手段と、ズームレンズの変倍位置を検出するズーム検出手段と、装置の振れを検出する振れ検出手段と、前記撮像手段によって撮像された画像から動きベクトルを検出するベクトル検出手段と、前記振れに基づいて、第１の振れ補正量を求める第１の取得手段と、前記動きベクトルに基づいて、第２の振れ補正量を求める第２の取得手段と、前記第１の振れ補正量に基づいて、前記振れによる画像のブレを光学的に補正する第１の補正手段と、前記第２の振れ補正量に基づいて、前記振れによる画像のブレを画像の切り出し範囲を変更することによって補正する第２の補正手段と、前記ズームレンズの変倍位置が広角端と望遠端を含まない予め決められた範囲内にある場合に、前記範囲外にある場合よりも前記第１の振れ補正量及び前記第２の振れ補正量を抑制するように制御する制御手段とを有する。
【手続補正２】
【補正対象書類名】特許請求の範囲
【補正対象項目名】全文
【補正方法】変更
【補正の内容】
【特許請求の範囲】
【請求項１】
光学系によって結像された被写体像を撮像する撮像手段と、
ズームレンズの変倍位置を検出するズーム検出手段と、
装置の振れを検出する振れ検出手段と、
前記撮像手段によって撮像された画像から動きベクトルを検出するベクトル検出手段と、
前記振れに基づいて、第１の振れ補正量を求める第１の取得手段と、
前記動きベクトルに基づいて、第２の振れ補正量を求める第２の取得手段と、
前記第１の振れ補正量に基づいて、前記振れによる画像のブレを光学的に補正する第１の補正手段と、
前記第２の振れ補正量に基づいて、前記振れによる画像のブレを画像の切り出し範囲を変更することによって補正する第２の補正手段と、
前記ズームレンズの変倍位置が広角端と望遠端を含まない予め決められた範囲内にある場合に、前記範囲外にある場合よりも前記第１の振れ補正量及び前記第２の振れ補正量を抑制するように制御する制御手段と
を有することを特徴とする撮像装置。
【請求項２】
前記制御手段は、前記第１の振れ補正量及び前記第２の振れ補正量をそれぞれ抑制する第１及び第２の出力制限部を有し、前記ズームレンズの前記変倍位置が前記範囲内にある場合に、前記範囲外にある場合よりも、前記第１及び第２の出力制限部の出力をより制限することを特徴とする請求項１に記載の撮像装置。
【請求項３】
前記第２の取得手段はハイパスフィルタを含み、前記制御手段は、前記ズームレンズの変倍位置が前記範囲内にある場合に、前記範囲外にある場合よりも、前記ハイパスフィルタのカットオフ周波数をより高くするとともに、前記広角端のカットオフ周波数よりも前記望遠端のカットオフ周波数を低くすることを特徴とする請求項１または２に記載の撮像装置。
【請求項４】
前記第２の取得手段は積分手段を含み、前記制御手段は、前記ズームレンズの変倍位置が前記範囲内にある場合に、前記範囲外にある場合よりも、前記積分手段の時定数をより短くするとともに、前記広角端の時定数よりも前記望遠端の時定数を長くすることを特徴とする請求項１乃至３のいずれか１項に記載の撮像装置。
【請求項５】
光学系によって結像された被写体像を撮像する撮像手段を有する撮像装置の制御方法であって、
ズーム検出手段が、ズームレンズの変倍位置を検出するズーム検出工程と、
振れ検出手段が、前記撮像装置の振れを検出する振れ検出工程と、
ベクトル検出手段が、前記撮像手段によって撮像された画像から動きベクトルを検出するベクトル検出工程と、
第１の取得手段が、前記振れに基づいて、第１の振れ補正量を求める第１の取得工程と、
第２の取得手段が、前記動きベクトルに基づいて、第２の振れ補正量を求める第２の取得工程と、
制御手段が、前記ズームレンズの変倍位置が広角端と望遠端を含まない予め決められた範囲内にある場合に、前記範囲外にある場合よりも、前記第１の振れ補正量及び前記第２の振れ補正量を抑制するように制御する制御工程と、
第１の補正手段が、抑制された前記第１の振れ補正量に基づいて、前記振れを光学的に補正する第１の補正工程と、
第２の補正手段が、抑制された前記第２の振れ補正量に基づいて、前記振れを画像の切り出し範囲を変更することによって補正する第２の補正工程と、
を有することを特徴とする撮像装置の制御方法。
【手続補正書】
【提出日】平成26年12月16日(2014.12.16)
【手続補正１】
【補正対象書類名】特許請求の範囲
【補正対象項目名】全文
【補正方法】変更
【補正の内容】
【特許請求の範囲】
【請求項１】
焦点距離の異なる複数の画像で構成される画像群の画像データを用いて画像を表示する画像閲覧装置であって、
前記画像群に含まれる何れかの画像中の一部領域を表示している際に、表示している領域の位置を変更する操作を検出する操作検出手段と、
前記操作検出手段により操作が検出されたことに応じて、変更後の表示領域における焦点位置に基づいて、前記表示されている画像を前記画像群の別の画像に更新するか否かを判定する判定手段と、
前記判定手段により別の画像に更新すると判定された場合に、前記変更後の表示領域に焦点位置を有する別の画像を選択する画像選択手段と、
前記画像選択手段により選択された画像の、前記変更後の表示領域を表示する表示制御手段と、を有することを特徴とする画像閲覧装置。
【請求項２】
前記判定手段は、前記変更後の表示領域に焦点位置が含まれていない場合、前記表示されている画像を前記画像群の別の画像に更新すると判定することを特徴とする請求項１に記載の画像閲覧装置。
【請求項３】
前記画像選択手段は、前記変更された表示領域に含まれる被写体を焦点位置とする画像に更新することを特徴とする請求項１または２に記載の画像閲覧装置。
【請求項４】
変更後の表示領域に複数の被写体が存在する場合に、前記画像選択手段は、各被写体と表示領域の中心位置との距離が近い方が焦点位置となっている画像を選択することを特徴とする請求項１乃至３の何れか１項に記載の画像閲覧装置。
【請求項５】
前記判定手段は、画像に付帯する画像上の焦点位置を示す焦点位置情報に基づいて、前記表示されている画像を前記画像群の別の画像に更新するか否かを判定することを特徴とする請求項１乃至４の何れか１項に記載の画像閲覧装置。
【請求項６】
前記操作検出手段は、ユーザによる、表示している画像上の矩形の領域の指定操作を検出することを特徴とする請求項１乃至５の何れか１項に記載の画像閲覧装置。
【請求項７】
焦点距離の異なる複数の画像で構成される画像群の画像データを用いて画像を表示する画像閲覧装置の制御方法であって、
前記画像群に含まれる何れかの画像中の一部領域を表示している際に、表示している領域の位置を変更する操作を検出する操作検出ステップと、
前記操作検出ステップにより操作が検出されたことに応じて、変更後の表示領域における焦点位置に基づいて、前記表示されている画像を前記画像群の別の画像に更新するか否かを判定する判定ステップと、
前記判定ステップにより別の画像に更新すると判定された場合に、前記変更後の表示領域に焦点位置を有する別の画像を選択する画像選択ステップと、
前記画像選択ステップにより選択された画像の、前記変更後の表示領域を表示する表示制御ステップと、を有することを特徴とする制御方法。
【請求項８】
前記判定ステップでは、前記変更後の表示領域に焦点位置が含まれていない場合、前記表示されている画像を前記画像群の別の画像に更新すると判定することを特徴とする請求項７に記載の制御方法。
【請求項９】
前記画像選択ステップでは、前記変更された表示領域に含まれる被写体を焦点位置とする画像に更新することを特徴とする請求項７または８に記載の制御方法。
【請求項１０】
変更後の表示領域に複数の被写体が存在する場合に、前記画像選択ステップでは、各被写体と表示領域の中心位置との距離が近い方が焦点位置となっている画像を選択することを特徴とする請求項７乃至９の何れか１項に記載の制御方法。
【請求項１１】
前記判定ステップでは、画像に付帯する画像上の焦点位置を示す焦点位置情報に基づいて、前記表示されている画像を前記画像群の別の画像に更新するか否かを判定することを特徴とする請求項７乃至１０の何れか１項に記載の制御方法。
【請求項１２】
前記操作検出ステップでは、ユーザによる、表示している画像上の矩形の領域の指定操作を検出することを特徴とする請求項７乃至１１の何れか１項に記載の制御方法。
【請求項１３】
焦点距離の異なる複数の画像で構成される画像群の画像データを用いて画像を表示する画像閲覧装置を制御するためのプログラムを記録したコンピュータ読み取り可能な記録媒体であって、
前記画像群に含まれる何れかの画像中の一部領域を表示している際に、表示している領域の位置を変更する操作を検出する操作検出ステップと、
前記操作検出ステップにより操作が検出されたことに応じて、変更後の表示領域における焦点位置に基づいて、前記表示されている画像を前記画像群の別の画像に更新するか否かを判定する判定ステップと、
前記判定ステップにより別の画像に更新すると判定された場合に、前記変更後の表示領域に焦点位置を有する別の画像を選択する画像選択ステップと、
前記画像選択ステップにより選択された画像の、前記変更後の表示領域を表示する表示制御ステップと、をコンピュータに実行させるためのプログラムを記録したコンピュータ読み取り可能な記録媒体。
【手続補正２】
【補正対象書類名】明細書
【補正対象項目名】発明の名称
【補正方法】変更
【補正の内容】
【発明の名称】画像閲覧装置、その制御方法および記録媒体
【手続補正３】
【補正対象書類名】明細書
【補正対象項目名】０００１
【補正方法】変更
【補正の内容】
【０００１】
本発明は、焦点距離の異なる複数の画像で構成される画像群の画像データを用いて画像を表示す画像閲覧装置、その制御方法および記録媒体に関するものである。特に、上述したような画像群のうち一枚の画像を画像閲覧装置にて表示している際に、ユーザからの指示に基づいて画像の表示を更新する場合に用いられて好適である。
【手続補正４】
【補正対象書類名】明細書
【補正対象項目名】０００９
【補正方法】変更
【補正の内容】
【０００９】
本発明の画像閲覧装置は、焦点距離の異なる複数の画像で構成される画像群の画像データを用いて画像を表示する画像閲覧装置であって、前記画像群に含まれる何れかの画像中の一部領域を表示している際に、表示している領域の位置を変更する操作を検出する操作検出手段と、前記操作検出手段により操作が検出されたことに応じて、変更後の表示領域における焦点位置に基づいて、前記表示されている画像を前記画像群の別の画像に更新するか否かを判定する判定手段と、前記判定手段により別の画像に更新すると判定された場合に、前記変更後の表示領域に焦点位置を有する別の画像を選択する画像選択手段と、前記画像選択手段により選択された画像の、前記変更後の表示領域を表示する表示制御手段と、を有することを特徴とする。